【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
原稿に描画されている画像を読み取る読取手段と、
前記原稿に付加されているコピー情報を取得する取得手段と、
前記取得手段により取得したコピー情報に基づいて、前記読取手段により読み取った画像を印刷する印刷手段と、
前記印刷手段による印刷に応じて、前記原稿に付加されているコピー情報を更新する更新手段と、
を有する情報処理装置。
【請求項２】
前記更新手段は、前記原稿に付加されているコピー情報を書き換える請求項１記載の情報処理装置。
【請求項３】
前記取得手段により取得したコピー情報に基づいて、前記原稿のコピーが禁止されているか否かを判別する判別手段を有する請求項１又は２記載の情報処理装置。
【請求項４】
前記印刷手段は、前記判別手段によりコピー禁止と判別された場合には、前記原稿の印刷は行わない請求項３記載の情報処理装置。
【請求項５】
前記印刷手段は、前記判別手段によりコピー禁止と判別された場合には、カラー原稿をモノクロ原稿として印刷する請求項３記載の情報処理装置。
【請求項６】
前記原稿に前記コピー情報が付加されているか否かを判定する判定手段と、
前記判定手段による判定に基づいて、前記読取手段により読み取った画像を印刷する用紙を選択する選択手段と、
を有する請求項１から５のいずれか1項に記載の情報処理装置。
【請求項７】
前記印刷手段により画像を印刷する印刷媒体にコピー情報を付加する付加手段を有する請求項１から６のいずれか1項に記載の情報処理装置。
【請求項８】
前記付加手段は、コピー禁止を示すコピー情報を前記印刷媒体に付加する請求項７記載の情報処理装置。
【請求項９】
前記付加手段は、ユーザにより指定されたコピー情報を前記印刷媒体に付加する請求項７記載の情報処理装置。
【請求項１０】
前記取得手段により取得したコピー情報に基づいて、前記原稿のコピー可能部数を認識する認識手段を有する請求項１から９のいずれか1項に記載の情報処理装置。
【請求項１１】
前記認識手段により認識したコピー可能部数と、ユーザにより指定されたコピー部数とに基づいて、前記印刷手段による印刷を実行するか否かを制御する制御手段を有する請求項１０記載の情報処理装置。
【請求項１２】
前記更新手段は、前記認識手段により認識したコピー可能部数と、前記印刷手段により印刷した部数とに基づいて、前記コピー情報を前記原稿のコピーを禁止する情報に更新する請求項１０記載の情報処理装置。
【請求項１３】
前記コピー情報は、前記原稿のコピー許可総部数、前記原稿のコピー済み部数、前記原稿のコピーが禁止されていることを示す禁止情報、もしくは、前記原稿のコピーを許可する期間情報、のいずれかを含む請求項１から１２のいずれか１項に記載の情報処理装置。
【請求項１４】
原稿をコピーする際の制御方法であって、
コピー対象の原稿に付加されているコピー情報を取得する取得ステップと、
前記取得ステップにおいて取得したコピー情報に応じて、前記原稿をコピーするコピーステップと、
前記コピーステップにおけるコピー処理に応じて、前記原稿に付加されているコピー情報を更新する更新ステップと、
を有する制御方法。
【請求項１５】
情報処理装置を制御するためにコンピュータにより実行されるプログラムであって、
コピー対象の原稿から取得したコピー情報に応じて、前記原稿をコピーするコピーステップと、
前記コピーステップにおけるコピー処理に応じて、前記原稿に付加されているコピー情報を更新する更新ステップと、
を有するプログラム。
【手続補正２】
【補正対象書類名】明細書
【補正対象項目名】発明の名称
【補正方法】変更
【補正の内容】
【発明の名称】情報処理装置及び原稿をコピーする際の制御方法、並びに情報処理装置を制御するためにコンピュータにより実行されるプログラム
【手続補正３】
【補正対象書類名】明細書
【補正対象項目名】０００１
【補正方法】変更
【補正の内容】
【０００１】
本発明は、情報処理装置及び原稿をコピーする際の制御方法、並びに情報処理装置を制御するためにコンピュータにより実行されるプログラムに関する。
【手続補正４】
【補正対象書類名】明細書
【補正対象項目名】０００３
【補正方法】変更
【補正の内容】
【０００３】
一方、デジタルデータを記録できるＲＦタグを印刷用紙に埋め込む技術が開示されている（例えば、特許文献２参照）。この技術によれば、例えば、プログラムを記憶したＲＦタグが埋め込まれた印刷用紙に、そのプログラムのマニュアルを印刷することにより、マニュアルとプログラムを一緒に配布することができる。
【特許文献１】特開２００１−１８４１８４号公報
【特許文献２】特開２００２−３３７４２６号公報
【手続補正５】
【補正対象書類名】明細書
【補正対象項目名】０００６
【補正方法】変更
【補正の内容】
【０００６】
本発明の目的は、原稿のコピーを制限する際の1つの手法を提供することにある。また、原稿に付加されているコピー情報を更新し、新しいコピー情報に基づいてコピー制限を行うことである。
【手続補正６】
【補正対象書類名】明細書
【補正対象項目名】０００７
【補正方法】変更
【補正の内容】
【０００７】
上記目的を達成するために、請求項１記載の情報処理装置は、原稿に描画されている画像を読み取る読取手段と、前記原稿に付加されているコピー情報を取得する取得手段と、前記取得手段により取得したコピー情報に基づいて、前記読取手段により読み取った画像を印刷する印刷手段と、前記印刷手段による印刷に応じて、前記原稿に付加されているコピー情報を更新する更新手段とを有する。
【手続補正７】
【補正対象書類名】明細書
【補正対象項目名】０００８
【補正方法】変更
【補正の内容】
【０００８】
請求項１４記載の制御方法は、原稿をコピーする際の制御方法であって、コピー対象の原稿に付加されているコピー情報を取得する取得ステップと、前記取得ステップにおいて取得したコピー情報に応じて、前記原稿をコピーするコピーステップと、前記コピーステップにおけるコピー処理に応じて、前記原稿に付加されているコピー情報を更新する更新ステップとを有する。
【手続補正８】
【補正対象書類名】明細書
【補正対象項目名】０００９
【補正方法】変更
【補正の内容】
【０００９】
請求項１５記載のプログラムは、情報処理装置を制御するためにコンピュータにより実行されるプログラムであって、コピー対象の原稿から取得したコピー情報に応じて、前記原稿をコピーするコピーステップと、前記コピーステップにおけるコピー処理に応じて、前記原稿に付加されているコピー情報を更新する更新ステップとを有する。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
本発明によれば、読み取った原稿からコピー情報を取得し、取得したコピー情報に基づいて印刷を行い、印刷に応じて原稿に付加されているコピー情報を更新するので、印刷物のコピーを制限することができる。
【手続補正１１】
【補正対象書類名】明細書
【補正対象項目名】００３８
【補正方法】変更
【補正の内容】
【００３８】
図６において、印刷装置１００は、スキャナ１０９により原稿をスキャンして原稿から画像データを読み取り（読取手段）（ステップＳ６０１）、スキャンした原稿にＲＦタグ３００が埋め込まれているか否かを判別し（ステップＳ６０２）、スキャンした原稿にＲＦタグ３００が埋め込まれているときは、ＲＦタグ制御部２００により、原稿に埋め込まれたＲＦタグ３００からコピー許可情報４１０を読み取る（取得手段）（ステップＳ６０３）。